(57)【特許請求の範囲】
【請求項１】
マルチディスプレイシステムを構成しているディスプレイの各輝度を計測する輝度センサを保持するための輝度センサ保持装置であって、
一端部にて前記輝度センサを保持するセンサ保持部を支持するとともに、他端部にて前記ディスプレイの各隅部の間隙に脱着自在に係合される複数の支持部材を有し、
前記支持部材は、前記ディスプレイの隅部の少なくとも２つに前記他端部をそれぞれ取り付けた状態で、前記一端部のセンサ保持部に保持された前記輝度センサを前記ディスプレイの中央部に位置させることを特徴とする輝度センサ保持装置。
【請求項２】
前記支持部材は一端部に位置する前記センサ保持部を前記ディスプレイの表面に向けて付勢するように、弾性材により形成されていることを特徴とする請求項１に記載の輝度センサ保持装置。
【請求項３】
前記支持部材は、前記ディスプレイに対して該ディスプレイの対角線に沿うように配置され、前記センサ保持部が設置される一端部から前記ディスプレイの隅部に設置される他端部までの長さが等しく設定されることを特徴とする請求項１又は２のいずれか１項に記載の輝度センサ保持装置。
【請求項４】
前記支持部材の他端部には、前記ディスプレイの各隅部との摩擦力を向上させるための係合突起が設けられていることを特徴とする請求項１〜３のいずれか１項に記載の輝度センサ保持装置。
【請求項５】
マルチディスプレイシステムを構成しているディスプレイの各輝度を計測する輝度センサを保持するための輝度センサ保持方法であって、
前記輝度センサを前記ディスプレイの中央部に位置させた状態で、複数の支持部材の一端部にてセンサ保持部を介して前記輝度センサを支持するとともに、該支持部材の各他端部を、前記ディスプレイの隅部の少なくとも２つの間隙にそれぞれ係合させることで、該支持部材を支持することを特徴とする輝度センサ保持方法。
【発明の詳細な説明】
【技術分野】
【０００１】
本発明は、接触型の輝度センサを使って、マルチディスプレイシステムを構成するディスプレイの各輝度を直接測定する技術に係り、該輝度センサをディスプレイに対して簡易かつ確実に設置することができる輝度センサ保持装置及び輝度センサ保持方法に関する。
【背景技術】
【０００２】
従来より、特許文献１に示されるような、複数のディスプレイを密着させて並べることで画像を全体に映し出すことができるマルチディスプレイシステムが知られている。このようなマルチディスプレイシステムでは、各々のディスプレイの大きさを何倍も上回る大画面を実現することができるので、様々な分野で利用が進んでいる。【０００３】
更に、これらのマルチディスプレイシステムにおいてディスプレイ前面の画像非表示部を少なくすることで、マルチディスプレイとして使用した際に生じる各ディスプレイ同士の額縁による非表示部を少なくすることが求められており、これらの技術も発達している。【０００４】
また、このようなマルチディスプレイシステムでは、映像表示装置として用いられる液晶ディスプレイの各輝度を、輝度センサを用いて輝度を均一に調整する必要があるが、その輝度センサをディスプレイに固定するために様々な輝度センサ保持装置が提供されている。
特許文献２〜５には、シャフト、アームなどの保持手段を用いて輝度センサをディスプレイに固定する技術が示されている。例えば、特許文献２に示される液晶ディスプレイの輝度測定装置５０では、図６に示すように、ディスプレイＤの外枠Ｆの上側に取り付けられる固定部５１と、該固定部５１に支持されてディスプレイＤの表面に張り出すように配置されるアーム部５２とからなる固定手段５３により輝度センサＳが支持される構成である。なお、ディスプレイの輝度を測定するセンサとしては、価格面、取扱い性能に優れた密着型の輝度センサＳが専ら使用されている。
【先行技術文献】
【特許文献】
【０００５】
【特許文献１】特開２００３−４６７５１公報
【特許文献２】特開２００３−２９４５２８公報
【特許文献３】国際公開ＷО２００４−９７５１０号公報
【特許文献４】特開２００９−１４６９９公報
【特許文献５】特開平９−２４３５１２公報
【発明の概要】
【発明が解決しようとする課題】
【０００６】
ところで、マルチディスプレイシステムを構成しているディスプレイの輝度測定に際しては、複数のディスプレイの輝度を調整しなければならないため、単体のディスプレイの輝度調整に比べて何倍も時間が掛かる。
しかしながら、このようなマルチディスプレイシステムにおいては、各ディスプレイの額縁が隣接するディスプレイの額縁と密着しているため、上述した保持装置を各ディスプレイに備え付けるための隙間が無い。従って、特許文献２〜５に示される構成の輝度センサ保持装置では、ディスプレイへの輝度センサ取り付け作業を行うことができず、各ディスプレイの輝度測定に支障を来たすという問題があった。【０００７】
さらに、特許文献２〜５に示されるような輝度センサ保持装置を使用する以外に、図７及び図８に示されるような、液晶画面に対して吸盤の底面を密着させてディスプレイＤ上に固定する簡易な輝度センサＳが用いられることがあるが、該輝度センサＳを吸盤の吸着力だけで完全にディスプレイＤ上に密着させるのは難しく、これらが原因で、マルチディスプレイＤの輝度測定の際に支障が発生することもあった。【０００８】
本発明は、このような事情を考慮してなされたもので、マルチディスプレイシステムを構成する各ディスプレイに対して輝度センサを簡易かつ確実に設置することができ、それぞれのディスプレイの輝度を正確に測定することができる輝度センサ保持装置及び輝度センサ保持方法の提供を目的とする。
【課題を解決するための手段】
【０００９】
上記目的を達成するために、本発明は、マルチディスプレイシステムを構成しているディスプレイの各輝度を計測する輝度センサを保持するための輝度センサ保持装置であって、一端部にて前記輝度センサを保持するセンサ保持部を支持するとともに、他端部にて前記ディスプレイの各隅部の間隙に脱着自在に係合される複数の支持部材を有し、前記支持部材は、前記ディスプレイの隅部の少なくとも２つに前記他端部をそれぞれ取り付けた状態で、前記一端部のセンサ保持部に保持された前記輝度センサを前記ディスプレイの中央部に位置させることを特徴とする。【００１０】
また、本発明は、マルチディスプレイシステムを構成しているディスプレイの各輝度を計測する輝度センサを保持するための輝度センサ保持方法であって、前記輝度センサを前記ディスプレイの中央部に位置させた状態で、複数の支持部材の一端部にてセンサ保持部を介して前記輝度センサを支持するとともに、該支持部材の各他端部を、前記ディスプレイの隅部の少なくとも２つの間隙にそれぞれ係合させることで、該支持部材を支持することを特徴とする。
【発明の効果】
【００１１】
本発明の輝度センサ保持装置及び輝度センサ保持方法では、複数の各支持部材の一端部にてセンサ保持部を支持し、かつ他端部にてディスプレイの隅部の間隙に係合することによって、マルチディスプレイシステムを構成している各ディスプレイの中央部に対して輝度センサを簡易かつ確実に設置することができ、それぞれのディスプレイの輝度を正確に測定することが可能となる。このとき、前記支持部材に対して、前記センサ保持部を前記ディスプレイの表面に向けて付勢する弾性力を付与することによって、該センサ保持部に設置した輝度センサをディスプレイの表面に密着させることができ、これによって該輝度センサによるディスプレイの輝度測定を正確に行うことができる。
【図面の簡単な説明】
【００１２】
【図１】本発明の実施形態に係る輝度センサ保持装置が、マルチディスプレイシステムの中の一つのディスプレイに取り付けられた状態を示す斜視図である。
【図２】図１にＩＩで示す箇所の断面図である。
【図３】図１に示す輝度センサ保持装置のディスプレイに対する取り付け状態を示す斜視図である。
【図４Ａ】輝度センサ保持装置の正面図である。
【図４Ｂ】輝度センサ保持装置の側面図である。
【図５Ａ】輝度センサ保持装置の他端部に位置する係合突起を示す図である。
【図５Ｂ】図５Ａの一点鎖線で示す部分の拡大図である。
【図６】従来の輝度センサ保持装置を示す側面図である。
【図７】接触型の輝度センサを示す斜視図である。
【図８】図７に示す輝度センサをディスプレイに取り付けた状態を示す斜視図である。
【発明を実施するための形態】
【００１３】
以下、図１〜図５Ｂを参照し、本発明の実施形態について説明する。以下に説明する実施形態は、本発明のうち一例を示すものであり、本発明は、この実施形態に限定されるものではない。
【００１４】
図１は、複数のディスプレイＤを密着させて並べることで画像を全体に映し出すことができるマルチディスプレイシステム１００であって、本例では、９台のディスプレイＤを縦横３台ずつ（縦方向に３台、横方向に３台）並べた例が示されている。
【００１５】
この図１では、９台のディスプレイＤの中の中央に位置する１台に、本発明に係る輝度センサ保持装置１が取り付けられた例が示されている。この輝度センサ保持装置１は、図２〜図４Ｂに示されるように、一端部３Ａにて輝度センサＳを保持するアタッチメント２（センサ保持部）を支持するとともに、他端部３Ｂを、ディスプレイＤの各隅部Ｄ１の間隙１０に脱着自在に係合される４本の支持部材３を有する構造とされており、これら４本の支持部材３が合わさった一端部３Ａに前記アタッチメント２が設けられている。
このアタッチメント２は、内側に輝度センサＳを保持することで該輝度センサＳに対してディスプレイＤの輝度を測定させるようにしている。
【００１６】
そして、このような輝度センサ保持装置１では、ディスプレイＤの各隅部Ｄ１の間隙１０に他端部３Ｂをそれぞれ取り付けた状態で、一端部３Ａのアタッチメント２に保持された輝度センサＳを、ディスプレイＤの中央部に位置させるようにしている。ここで、マルチディスプレイシステム１００を構成しているディスプレイＤの隅部Ｄ１は、４台のディスプレイＤの隅部Ｄ１が突き合わされる箇所であり、図２に示すようにその中央部に形成された間隙１０に、前記支持部材３の他端部３Ｂが挿入されかつ係合される。
【００１７】
また、これら支持部材３は、それぞれが適度な可撓性及び弾性を有する薄厚の棒状体により全体が形成されており、ディスプレイＤの間隙１０に取り付けた状態で、アタッチメント２の内側に保持された輝度センサＳを、ディスプレイＤ側に付勢して該ディスプレイＤの表面に密着させるようにしている。
また、前記支持部材３は、図２〜図４Ｂに詳細に示すように、ディスプレイＤの間隙１０に脱着自在に係合される他端部３Ｂが、本体部（符号３Ｃで示す）に対して折れ曲がった構造とされ、この他端部３Ｂには、ディスプレイＤの隅部Ｄ１の間隙１０に係合される係合突起４が形成されている。この係合突起４は、図５Ｂに示されるようにブラシ状に形成されたものであって、ディスプレイＤの間隙１０内に挿入された状態で、該ディスプレイＤの各隅部１０との摩擦力が大きくなり、これによって前記支持部材３が間隙１０から抜け難くするものである。
【００１８】
なお、支持部材３の材料としては、金属の他、プラスチックの使用も可能である。また、輝度センサＳとしては、価格面、取扱い性能に優れた密着型のものが使用される。また、この輝度センサＳは、前記輝度センサ保持装置１によりディスプレイＤの表面に保持された状態で、その検出部が該ディスプレイＤの画像面に対向配置され、該ディスプレイＤの輝度を測定可能となっている。
【００１９】
また、各支持部材３において、一端部３Ａと他端部３Ｂとの間に位置する本体部３Ｃは、前記ディスプレイＤの対角線に沿うように配置されるとともに、その長さが等しく設定されており、これによって該支持部材３の一端部３Ａに位置するアタッチメント２を、前記ディスプレイＤの中央に位置させることが可能となる。
【００２０】
そして、上記のように構成された輝度センサ保持装置１では、４本ある支持部材３の一端部３Ａにてアタッチメント２を支持し、かつ各他端部３ＢをディスプレイＤの隅部Ｄ１の間隙１０内に係合させることによって、アタッチメント２に保持された輝度センサＳを、ディスプレイＤの中央部に位置させることができ、この状態で、該ディスプレイＤに対向配置された輝度センサＳの検出部により、該ディスプレイＤの画像面の輝度が測定される。
そして、輝度センサＳにより測定された輝度データは、図１に示すようにＵＳＢケーブル５を介してＰＣ６に供給された後、該ＰＣ６のモニター上にその値が表示され、操作者は、このＰＣ６のモニター上の輝度データを参照しながら、当該ディスプレイＤの輝度を調整する。このような輝度調整は、マルチディスプレイシステム１００を構成しているディスプレイＤのそれぞれについて行い、これによってディスプレイＤの全体の輝度が均一に調整される。
【００２１】
以上詳細に説明したように本実施形態に示される輝度センサ保持装置１では、各支持部材３の一端部３Ａにてアタッチメント２を支持し、かつ他端部３ＢにてディスプレイＤの隅部Ｄ１の間隙１０に係合することによって、マルチディスプレイシステム１００を構成している各ディスプレイＤの中央部に対して輝度センサＳを簡易かつ確実に設置することができ、それぞれのディスプレイＤの輝度を正確に測定することが可能となる。このとき、前記支持部材３に対して、前記アタッチメント２を前記ディスプレイＤの表面に向けて適度な付勢力を付与することによって、該アタッチメント２に設置した輝度センサＳをディスプレイＤの表面に密着させることができ、これによって該輝度センサＳによるディスプレイＤの輝度測定を正確に行うことができる。
【００２２】
なお、上記実施形態では、ディスプレイＤとして液晶方式であっても、プラズマ方式であっても良く、その方式はいずれでも良い。また、ディスプレイＤの配置は、横長、縦長のいずれでも良い。
また、上記実施形態では、４本の支持部材３を１組として輝度センサ保持装置１を構成したが、これら４本の支持部材３に、ディスプレイＤの上部に係合される（例えば、ディスプレイＤの上部に係合穴を設ける等により係合される）支持部材をさらに追加し、さらに安定した状態で輝度センサＳをディスプレイＤ上に支持しても良い。
また、上記実施形態では、支持部材３の他端部３Ｂに、ディスプレイＤの隅部Ｄ１の間隙１０に係合される係合突起４を設けたが、この係合突起４を設けることは必須ではなく、支持部材３の他端部３Ｂが、ディスプレイＤの隅部Ｄ１の間隙１０にその摩擦力だけで係合されるのであれば、係合突起４を適宜省略しても良い。
また、上述の実施形態においては、４本の支持部材３を１組とし、ディスプレイＤの各隅部に係合するようにしたが、２本または３本の支持部材３を１組とし、ディスプレイＤの少なくとも２つ以上の隅部に係合するようにしてもよい。
【００２３】
また、上記実施形態は輝度センサ保持装置１の構成について示すものであるが、このような構成は、「輝度センサＳをディスプレイＤの中央部に位置させた状態で、４本の支持部材３の一端部３Ａにてアタッチメント２を介して該輝度センサＳを支持するとともに、該支持部材３の各他端部３Ｂを、ディスプレイＤの各隅部Ｄ１の間隙１０にそれぞれ係合させることで、該支持部材３を支持する輝度センサ保持方法」が適用されることで得られるものである。
そして、このような輝度センサ保持方法にて、各支持部材３の一端部３Ａにてアタッチメント２を支持し、かつ他端部３ＢにてディスプレイＤの隅部Ｄ１の間隙１０に係合することによって、マルチディスプレイシステム１００を構成している各ディスプレイＤの中央部に対して輝度センサＳを簡易かつ確実に設置することができ、それぞれのディスプレイＤの輝度を正確に測定することが可能となる。
【符号の説明】
【００２４】
１…輝度センサ保持装置
２…アタッチメント（センサ保持部）
３…支持部材
３Ａ…一端部
３Ｂ…他端部
３Ｃ…本体部
４…係合突起
１０…間隙
１００…マルチディスプレイシステム
Ｄ…ディスプレイ
Ｄ１…隅部
Ｓ…輝度センサ
【図１】
0005448212.tif 000002
【図２】
0005448212.tif 000003
【図３】
0005448212.tif 000004
【図４Ａ】
0005448212.tif 000005
【図４Ｂ】
0005448212.tif 000006
【図５Ａ】
0005448212.tif 000007
【図５Ｂ】
0005448212.tif 000008
【図６】
0005448212.tif 000009
【図７】
0005448212.tif 000010
【図８】
0005448212.tif 000011